(57)【要約】【課題】複数の光源から出射される光ビームを集光するシリンドリカルレンズ部を備えたタンデム型の光走査装置において、ポリゴンミラーの反射面における各光ビームの入射領域がミラー法線方向から見てミラー回転方向に対して傾くのを抑制する。【解決手段】シリンドリカルレンズ部４２は、複数の光ビームＤ１〜Ｄ４のそれぞれが通過する複数のレンズ部４２ａ〜ｒ４２ｄからなり、複数のレンズ部４２ａ〜４２ｄはそれぞれ、副走査方向から見て、該各レンズ部４２ａ〜４２ｄの母線方向が各光ビームＤ１〜Ｄ４の光路方向の直交方向に対して所定角度だけ傾くように配置されており、該所定角度は、上記各レンズ部４２ａ〜４２ｄの法線方向が各光ビームＤ１〜Ｄ４の光路方向の直交方向と一致する場合に比べて、反射面４４ａにおける各光ビームＤ１〜Ｄ４の副走査方向の幅が小さくなるように上記各レンズ部４２ａ〜４２ｄのそれぞれに対して設定されている。【選択図】図３
2018124347.tif 000002
【特許請求の範囲】
【請求項１】
ポリゴンミラーと、複数の光ビームを副走査方向に間隔を空けて出射する光源部と、該ポリゴンミラーと該光源部との間に設けられ、該光源部から出射された複数の光ビームをそれぞれ、上記ポリゴンミラーの同一の反射面に対して異なる入射角度で斜めに入射させて集光するシリンドリカルレンズ部とを備えた光走査装置において、
上記シリンドリカルレンズ部は、上記複数の光ビームのそれぞれが通過する複数のレンズ部からなり、
上記複数のレンズ部はそれぞれ、副走査方向から見て、該各レンズ部の母線方向が各光ビームの光路方向の直交方向に対して所定角度だけ傾くように配置されており、
上記所定角度は、上記複数のレンズ部のそれぞれの母線方向が各光ビームの光路方向の直交方向と一致する場合に比べて、上記反射面における上記各光ビームの副走査方向の幅が小さくなるように該各レンズ部のそれぞれに対して設定されている、光走査装置。
【請求項２】
請求項１記載の光走査装置において、
上記所定角度は、上記各光ビームが上記反射面におけるミラー回転方向の上流側端部に入射する状態において、副走査方向から見たときに上記各レンズ部の両端部の主点から上記反射面までの距離が略等しくなるように該各レンズ部のそれぞれに対して設定されている、光走査装置。
【請求項３】
請求項１記載の光走査装置において、
上記各光ビームについて、上記反射面におけるミラー回転方向の上流側端部と中央部と下流側端部とのそれぞれにおける光ビーム入射領域の副走査方向の幅を合計して、該合計した値が最小になるように、上記各レンズ部のそれぞれに対して上記所定角度が設定されている、光走査装置。
【請求項４】
請求項１乃至３のいずれか一項に記載の光走査装置において、
上記各レンズ部の傾斜角度である上記所定角度は、上記反射面への上記各光ビームの上記入射角度に応じて決まる角度である、光走査装置。
【請求項５】
請求項１乃至４のいずれか一項に記載の光走査装置において、
上記ポリゴンミラーの上記反射面に入射する各光ビームのミラー回転方向の幅が、該反射面のミラー回転方向の幅よりも狭いアンダーフィールド光学系を採用した光走査装置。
【請求項６】
請求項１乃至５のいずれか一項に記載の光走査装置を備えた画像形成装置。
【発明の詳細な説明】
【技術分野】
【０００１】
本発明は、光走査装置及び該光走査装置を備えた画像形成装置に関する。
【背景技術】
【０００２】
従来より、各色（例えばイエロー、マゼンタ、シアン、及びブラック）に対応する複数の光源からそれぞれ出射される光ビームをポリゴンミラーの同一の反射面に集光させるシリンダーレンズ部を備えたタンデム方式の光走査装置は知られている（例えば、特許文献１参照）。シリンダーレンズ部は、光源から出射された複数の光ビームを、副走査断面で見てポリゴンミラーの反射面に異なる入射角度で斜めに入射させて集光する。そうして反射面に集光された複数の光ビームはそれぞれ異なる反射角度で反射されて分離される。
【先行技術文献】
【特許文献】
【０００３】
【特許文献１】特開２００３−２９５０７９号公報
【発明の概要】
【発明が解決しようとする課題】
【０００４】
上記特許文献１に示す光走査装置では、各光源から出射された光ビームにおけるミラー回転方向の上流側寄りの光成分と下流側寄りの光成分とで、シリンドリカルレンズ部から反射面までの光路長が異なってしまう。ここで、光ビームが副走査断面で見てポリゴンミラーの反射面に垂直に入射する場合には、ミラー回転方向の上流側寄りの光成分と下流側寄りの光成分とで光路長が異なったとしても、ミラー反射面に入射する光ビームの入射領域はミラー回転方向に平行に延びる。しかし、タンデム型の光走査装置では、各光ビームがポリゴンミラーの反射面に対して斜めに入射するので、ミラー回転方向の上流側の光成分と下流側の光成分とで光路長が異なっていると、ミラー反射面に入射する光ビームの入射領域が、ミラー法線方向から見てミラー回転方向に対して交差して傾いてしまう。この結果、印刷画像中にジッター等の画像不良が発生するという問題がある。
【０００５】
本発明は、かかる点に鑑みてなされたものであり、その目的とするところは、複数の光源からそれぞれ出射される光ビームをポリゴンミラーの同一の反射面に集光させるシリンドリカルレンズ部を備えたタンデム型の光走査装置において、ポリゴンミラーの反射面における各光ビームの入射領域がミラー法線方向から見てミラー回転方向に対して傾くのを抑制し、延いてはジッター等の画像不良の発生を抑制することにある。
【課題を解決するための手段】
【０００６】
本発明に係る光走査装置は、ポリゴンミラーと、複数の光ビームを副走査方向に間隔を空けて出射する光源部と、該ポリゴンミラーと該光源部との間に設けられ、該光源部から出射された複数の光ビームをそれぞれ、上記ポリゴンミラーの同一の反射面に対して異なる入射角度で斜めに入射させて集光するシリンドリカルレンズ部とを備えている。
【０００７】
上記シリンドリカルレンズ部は、上記複数の光ビームのそれぞれが通過する複数のレンズ部にからなり、上記複数のレンズ部はそれぞれ、副走査方向から見て、該各レンズ部の母線方向が各光ビームの光路方向の直交方向に対して所定角度だけ傾くように配置されており、上記所定角度は、上記複数のレンズ部のそれぞれの母線方向が各光ビームの光路方向の直交方向と一致する場合に比べて、上記反射面における上記各光ビームの副走査方向の幅が小さくなるように該各レンズ部のそれぞれに対して設定されている。
【０００８】
本発明に係る画像形成装置は上記光走査装置を備えている。
【発明の効果】
【０００９】
本発明によれば、複数の光源からそれぞれ出射される光ビームをシリンドリカルレンズ部によりポリゴンミラーの同一の反射面に集光して該ポリゴンミラーにより偏向走査させるタンデム型の光走査装置において、ポリゴンミラーの反射面における各光ビームの入射領域がミラー法線方向から見てミラー回転方向に対して傾くのを抑制し、延いてはジッター等の画像不良の発生を抑制することにある。
【図面の簡単な説明】
【００１０】
【図１】図１は、実施形態における光走査装置を備えた画像形成装置を示す概略図である。
【図２】図２は、光走査装置の概略構成を示す側面図である。
【図３】図３は、光源部からポリゴンミラーまでの光路を直線的に示す概略図である。
【図４】図４は、光走査装置の光源から出射された光ビームがポリゴンミラーにより反射される様子を示す模式図である。
【図５】図５は、シリンドリカルレンズ部を拡大して示す平面図である。
【図６】図６は、従来の光走査装置の光路を示す概略図であって、ポリゴンミラーの反射面における回転方向の下流側端部にて光ビームが反射される様子を示す図である。
【図７】図７は、従来の光走査装置の光路を示す概略図であって、ポリゴンミラーの反射面における回転方向の上流側端部にて光ビームが反射される様子を示す図である。
【図８】図８は、従来の光走査装置においてポリゴンミラーの反射面に入射する光ビームの入射位置を簡略化して示す概略図である。
【図９】図９は、本実施形態における図７相当図である。
【図１０】図１０は、本実施形態における図８相当図である。
【図１１】図１１は、他の実施形態における各分割レンズ部の傾き角の設定方法を説明するための図であって上記図８に相当する図である。
【発明を実施するための形態】
【００１１】
以下、本発明の実施形態を図面に基づいて詳細に説明する。尚、本発明は、以下の実施形態に限定されるものではない。
【００１２】
《実施形態》
図１は、実施形態における画像形成装置１を示している。この画像形成装置１は、タンデム方式のカラープリンターであって、中間転写ベルト７と、１次転写部８及び２次転写部９と、定着部１１と、光走査装置１５と、４つの画像形成ユニット１６ａ〜１６ｄと、第一〜第四用紙搬送部２１〜２４とを備えている。
【００１３】
画像形成装置１の本体２の内部下部には、給紙カセット３が配置されている。給紙カセット３は、その内部に印刷前のカットペーパー等の用紙（図示省略）を積載して収容している。そして、この用紙は、図１において給紙カセット３の右上方に向けて、１枚ずつ分離して送り出される。
【００１４】
第一用紙搬送部２１は、給紙カセット３の側方に設けられている。第一用紙搬送部２１は、本体２の右側面に沿って配置されている。そして、第一用紙搬送部２１は、給紙カセット３から送り出された用紙を受け取り、その用紙を本体２の右側面に沿って上方の２次転写部９へ搬送する。
【００１５】
給紙カセット３の左側方には、手差し給紙部５が設けられている。手差し給紙部５には、給紙カセット３に入っていないサイズの用紙や、厚紙、或いはＯＨＰシート等が載置される。そして、手差し給紙部５の右方には第二用紙搬送部２２が設けられている。第二用紙搬送部２２は、手差し給紙部５から第一用紙搬送部２１まで略水平に延びて第一用紙搬送部２１に合流している。そして、第二用紙搬送部２２は、手差し給紙部５から送り出された用紙等を受け取って第一用紙搬送部２１へ搬送する。
【００１６】
光走査装置１５は、第二用紙搬送部２２の上方に配置されている。ここで、画像形成装置１は、外部から送信された画像データを受信する。この画像データは一時記憶部（図示省略）に記憶された後、必要に応じて光走査装置１５に送られる。光走査装置１５は、画像データに基づいて制御されたレーザー光を画像形成ユニット１６ａ〜１６ｄへ向けて照射する。
【００１７】
画像形成ユニット１６ａ〜１６ｄは、光走査装置１５の上方に設けられている。各画像形成ユニット１６ａ〜１６ｄはそれぞれ、感光体ドラム１０ａ〜１０ｄを有している。各感光体ドラム１０ａ〜１０ｄのそれぞれに対して、帯電器２０ａ〜２０ｄ、現像装置３０ａ〜３０ｄ及びクリーニング装置３５ａ〜３５ｄが設けられている。クリーニング装置３５ａ〜３５ｄは、感光体ドラム１０ａ〜１０ｄの周面をクリーニングするために設けられている。
【００１８】
各画像形成ユニット１６ａ〜１６ｄの上方には、無端状の中間転写ベルト７が設けられている。中間転写ベルト７は、複数のローラーに巻き掛けられており、図示しない駆動装置によって回転駆動される。
【００１９】
４つの画像形成ユニット１６ａ〜１６ｄは、図１に示すように、中間転写ベルト７に沿って一列に配置されており、イエロー、マゼンタ、シアン、又はブラックのトナー像をそれぞれ形成する。すなわち、各画像形成ユニット１６ａ〜１６ｄでは、光走査装置１５によって感光体ドラム１０ａ〜１０ｄの周面にレーザー光を照射して原稿画像の静電潜像を形成し、現像装置３０ａ〜３０ｄによってこの静電潜像を現像することによって各色のトナー像が形成される。
【００２０】
１次転写部８ａ〜８ｄは、各画像形成ユニット１６ａ〜１６ｄの上方にそれぞれ配置されている。１次転写部８ａ〜８ｄは、画像形成ユニット１６ａ〜１６ｄにより形成されたトナー像を中間転写ベルト７表面に１次転写する１次転写ローラー８０ａ〜８０ｄを有している。１次転写ローラー８０ａ〜８０ｄには、転写バイアス電源（図示省略）より転写バイアスが印加されている。各画像形成ユニット１６ａ〜１６ｄのトナー像は、１次転写ローラー８０ａ〜８０ｄに印加された転写バイアスによって、所定のタイミングで中間転写ベルト７に転写される。そうして、中間転写ベルト７の表面には、イエロー、マゼンタ、シアン及びブラックの４色のトナー像が重ね合わされたカラートナー像が形成される。
【００２１】
２次転写部９は、中間転写ベルト７の右側方に配置された２次転写ローラー１８を有している。２次転写ローラー１８は、転写バイアス電源により転写バイアスが印加されている。２次転写ローラー１８は、中間転写ベルト７との間で用紙Ｐを挟持する。そうして、中間転写ベルト７上のトナー像は、２次転写ローラー１８に印加された転写バイアスによって用紙Ｐへ転写されるようになっている。
【００２２】
定着部１１は、２次転写部９の上方に設けられている。２次転写部９と定着部１１との間には、トナー像が２次転写された用紙Ｐを定着部１１へ搬送する第三用紙搬送部２３が形成されている。
【００２３】
定着部１１は、各々回転する加熱ローラー１１１と、加圧ローラー１１２とを有している。そして、定着部１１は、加熱ローラー１１１と加圧ローラー１１２とにより用紙Ｐを挟持することで、用紙Ｐに転写されたトナー像を加熱及び加圧して用紙Ｐに定着させるようになっている。
【００２４】
定着部１１の上方には、分岐部２７が設けられている。定着部１１から排出された用紙Ｐは、両面印刷を行わない場合、分岐部２７から画像形成装置１の上部に形成された用紙排出部２８に排出される。分岐部２７から用紙排出部２８に向かって用紙Ｐが排出されるその排出口部分は、スイッチバック部２９としての機能を果たす。両面印刷を行う場合には、このスイッチバック部２９において、定着部１１から排出された用紙Ｐの搬送方向が切り替えられる。
【００２５】
−光走査装置の詳細−
次に、図２〜図４を参照して光走査装置１５の詳細について説明する。図２は光走査装置を示す側面図であり、図３は、光走査装置１５の光源部４０からポリゴンミラー４４の反射面４４ａまでの入射光学系を直線的に示した模式図であり、図４は、光走査装置１５の各光源４０ａ〜４０ｄから出射される光ビームＤ１〜Ｄ４がポリゴンミラー４４により反射される様子を示す模式図である。
【００２６】
光走査装置１５は筐体４３（図２参照）を有している。筐体４３内にはポリゴンミラー４４と、ポリゴンミラー４４に向けて光ビームＤ１〜Ｄ４を出射する光源部４０（図３及び図４参照）とが配置されている。本実施形態では、ポリゴンミラー４４は側面に６つの反射面４４ａを有する正六角形状をなしている。ポリゴンミラー４４は、モーター（図示省略）により所定の速度で回転される。
【００２７】
光源部４０は、イエロー、マゼンタ、シアン、及びブラックの各色に対応する光源４０ａ〜４０ｄを有している。４つの光源４０ａ〜４０ｄは、副走査方向（ポリゴンミラー４４の回転軸心方向であって図３の上下方向）に間隔を空けて配置されている。各光源４０ａ〜４０ｄはそれぞれ光ビームＤ１〜Ｄ４を出射する。
【００２８】
ポリゴンミラー４４よりも光路上流側には、各光源４０ａ〜４０ｄに対応して設けられた４つのコリメータレンズ４１ａ〜４１ｄと、コリメータレンズ４１ａ〜４１ｄを通過した光ビームＤ１〜Ｄ４を所定の光路幅とするアパーチャ（図示省略）と、アパーチャを通過した光ビームＤ１〜Ｄ４をポリゴンミラー４４の反射面４４ａに集光させるシリンドリカルレンズ部４２とが配置されている。ポリゴンミラー４４よりも光路下流側には、第一結像レンズ４５ａ、複数の第二結像レンズ４５ｂ（図２参照）、及び複数の折返しミラー４６ａ〜４６ｈかが配置されている。各結像レンズ４５ａ，４５ｂは例えばｆθレンズにより構成されている。
【００２９】
上記シリンドリカルレンズ部４２は、一つのシリンドリカルレンズを高さ方向に四つに分割した構造を有している（図３参照）。各分割レンズ部４２ａ〜４２ｄはそれぞれ、光源４０ａ〜４０ｄより出射された光ビームＤ１〜Ｄ４の通過光路に設けられている。第一〜第四分割レンズ部４２ａ〜４２ｄの入射側面は円筒面状をなしており、出射側面は平坦面状をなしている。
【００３０】
図５に示すように、第一〜第四分割レンズ部４２ａ〜４２ｄは、副走査方向から見て、それぞれの母線方向（集光能力を有さない方向）が、光ビームＤ１〜Ｄ４の光路の直交方向に対して所定角度θａ〜θｄだけ傾くように配置されている。本実施形態では、第一分割レンズ部４２ａの傾き角θａと第四分割レンズ部４２ｄの傾き角θｄは等しく、第二分割レンズ部４２ｂの傾き角θｂと第三分割レンズ部４２ｃの傾き角θｃとは等しい。
【００３１】
次に図２〜図４を参照して光走査装置１５の動作について説明する。各光源４０ａ〜４０ｄからそれぞれ射出された光ビームＤ１〜Ｄ４は、コリメータレンズ４１ａ〜４１ｃによって略平行光束とされた後、シリンドリカルレンズ部４２の各分割レンズ部４２ａ〜４２ｄに入射する。各分割レンズ部４２ａ〜４２ｄに入射した光ビームＤ１〜Ｄ４は、主走査断面（副走査方向に対して垂直な断面）においては平行光束の状態で射出され、副走査断面（副走査方向に沿った断面）においては収束して射出されて、ポリゴンミラー４４の反射面４４ａに斜めに入射して結像する。このとき、ポリゴンミラー４４によって偏向された４つの光ビームＤ１〜Ｄ４の光路分離を容易化するために、各光ビームＤ１〜Ｄ４は、副走査断面（図３参照）で見て、反射面４４ａに対しそれぞれ異なる角度で入射する。本実施形態では、ポリゴンミラー４４の反射面４４ａに入射する各光ビームＤ１〜Ｄ４のミラー回転方向の幅は反射面４４ａの幅よりも狭い（図４参照）。
【００３２】
ポリゴンミラー４４の反射面４４ａに入射した光ビームＤ１〜Ｄ４は、ポリゴンミラー４４によって等角速度走査された後、第一結像レンズ４５ａによって等速度走査光に変換される。第一結像レンズ４５ａを通過した光ビームＤ１〜Ｄ４はそれぞれ、折返しミラー４６ａ〜４６ｇにより反射されるとともに、第二結像レンズ４５ｂを通過して感光体ドラム１０ａ〜１０ｄの表面（被走査面）１０ｐ〜１０ｓに導かれる。
【００３３】
図６及び図７は、従来の光走査装置において、各光源４０ａ〜４０ｄから出射される各光ビームＤ１〜Ｄ４がポリゴンミラー４４の反射面４４ａに入射する様子を示している。図６及び図７は、各光ビームＤ１〜Ｄ４が上記反射面４４ａの下流側端部に入射する様子を示し、図７は、図６の状態からポリゴンミラー４４が時計回り方向に回転して光ビームＤ１が上記反射面４４ａの上流側端部に入射する様子を示している。各図に示すように、各光ビームＤ１〜Ｄ４のうちミラー回転方向下流側寄りの光成分Ｌ１と回転方向上流側寄りの光成分Ｌ２とで、シリンドリカルレンズ部１００の主点からポリゴンミラー４４の反射面４４ａまでの距離に差（以下、光路長差δという）が生じる。ここで、各光ビームＤ１〜Ｄ４は、図３に示すように、副走査断面で見て、反射面４４ａの法線方向に対して傾斜しているので、このような光路長差δが存在すると、反射面４４ａに入射する各光ビームＤ１〜Ｄ４の入射領域Ｒがミラー法線方向から見てミラー回転方向に対して傾いてしまう（図８参照）。
【００３４】
図８は、従来の光走査装置において、光源４０ａから出射される光ビームＤ１の反射面４４ａに対する入射領域Ｒを模式的に示した図である。この図では、入射領域Ｒを簡易的に３つの入射領域ｒ１〜ｒ３に分けて示している。入射領域ｒ１は、図６に示すように光ビームＤ１が反射面４４ａにおけるミラー回転方向の下流側端部に入射する場合に対応し、入射領域ｒ２は、光ビームＤ１が反射面４４ａにおけるミラー回転方向の中央部に入射する場合に対応し、入射領域ｒ３は、図７に示すように光ビームＤ１が反射面４４ａにおけるミラー回転方向の上流側端部に入射する場合に対応している。入射領域ｒ３では入射領域ｒ１に比べて光路長差δ（図６及び図７参照）が大きいので、入射領域ｒ３の傾き角α３は入射領域ｒ１の傾き角α１よりも大きい。入射領域ｒ２では、光路長差δが入射領域ｒ３よりも小さく入射領域ｒ１よりも大きいので、α１＜α２＜α３の関係を満たしている。この傾き角α１〜α３が大きいと、ポリゴンミラー４４の反射面４４ａに入射する光ビームＤ１の副走査方向の幅(高さ)Ｗが大きくなってジッター等の画像不良が発生し易くなる。
【００３５】
これに対して、本実施形態では、シリンドリカルレンズ部４２を４つの光ビームＤ１〜Ｄ４が通過する四つの分割レンズ部４２ａ〜４２ｄに分割して構成するとともに、各分割レンズ部４２ａ〜４２ｄの母線方向を、副走査方向から見て、各光ビームＤ１〜Ｄ４の光路の直交方向に対して所定角度θａ〜θｄだけ傾斜させるようにした。この所定角度θａ〜θｄは、本実施形態では、ポリゴンミラー４４の反射面４４ａの回転方向の下流側端部に各光ビームＤ１〜Ｄ４が入射する状態を仮定して、副走査方向から見たときに各分割レンズ部４２ａ〜４２ｄの両端部の主点から反射面４４ａまでの距離が略等しくなるように設定されている。図９では、一例として第一分割レンズ部４２ａを通過する光ビームＤ１がポリゴンミラー４４の反射面４４ａの回転方向の下流側端部に入射する様子を示している。図中の点Ｓ１，Ｓ２は、第一分割レンズ部４２ａの両端部の主点であり、距離Ｋ１＝距離Ｋ２の関係を満たしている。尚、第二乃至第四分割レンズ部４２ｂ〜４２ｄの傾き角θｂ〜θｄの設定方法も、上述した第一分割レンズ部４２ａの傾き角θａの設定方法と同様である。また傾き角θａ〜θｄは、副走査断面で見たときの各光ビームＤ１〜Ｄ１の入射角度に応じて決まる角度であり、本実施形態では、θａ（＝θｄ）＞θｂ（＝θｃ）の関係を満たしている。
【００３６】
このように、各光ビームＤ１〜Ｄ４がポリゴンミラー４４の反射面４４ａの回転方向の上流側端部に入射する状態（つまり図８の入射領域ｒ３に対応する状態）を基準として、各分割レンズ部４２ａ〜４２ｄの両端部の主点からポリゴンミラー４４の反射面４４ａまでの距離が等しくなるように各分割レンズ部４２ａ〜４２ｄの母線方向を傾けることで、反射面４４ａに入射する各光ビームＤ１〜Ｄ４の入射領域ｒ１〜ｒ３のうち最も傾きが大きい入射領域ｒ３をミラー回転方向に沿わせることができる（図１０参照）。これにより、ポリゴンミラー４４の反射面４４ａに入射する各光ビームＤ１〜Ｄ４の副走査方向の幅Ｗを低減して、ジッター等の画像不良を抑制することができる。
【００３７】
ここで、上記実施形態では、ポリゴンミラー４４の反射面４４ａに入射する各光ビームＤ１〜Ｄ４のミラー回転方向の幅が反射面４４ａの幅よりも小さいアンダーフィールド光学系を採用している。アンダーフィールド光学系を採用した場合、オーバーフィールド光学系を採用した場合に比べて、光源部４０から出射される光ビームＤ１〜Ｄ４全てを潜像形成のために利用するので出力効率が高まる反面、反射面４４ａにおける光ビームＤ１〜Ｄ４の入射領域が狭いので、ジッター等の画像不良の発生に及ぼす反射面４４ａの面精度（反射面の湾曲や傾き）の影響が大きくなる。本発明では、このようにジッターが発生し易いアンダーファイールド光学系を採用した場合でも、各分割レンズ部４２ａ〜４２ｄの母線方向を光路の直交方向に対して所定角度θａ〜θｄだけ傾けることでジッター等の画像不良の発生を確実に抑制することができる。
【００３８】
《他の実施形態》
上記実施形態では、入射領域ｒ３がミラー回転方向に沿うように（つまりα３＝０となるように）各分割レンズ部４２ａ〜４２ｄの母線方向の傾き角θａ〜θｄを設定するようにしているが、この場合、入射領域ｒ１及び入射領域ｒ２の傾き角α１，α２が逆に増加することも考えられる。そこで、図１１に示すように、入射領域ｒ１〜ｒ３の副走査方向の幅をｗ１〜ｗ３としたときに、ｗ１＋ｗ２＋ｗ３の合計値σが最小になるように各分割レンズ部４２ａ〜４２ｄの母線方向の傾き角θａ〜θｄを設定するようにしてもよい。
【００３９】
上記所定角度θａ〜θｄの設定方法は、上述した方法に限ったものではない。すなわち、各分割レンズ部４２ａ〜４２ｄの母線方向が各光ビームＤ１〜Ｄ４の光路方向の直交方向と一致する場合に比べて、反射面４４ａにおける各光ビームＤ１〜Ｄ４の副走査方向の幅Ｗが小さくなるような設定方法であれば如何なる方法を採用してもよい。
【００４０】
また上記実施形態では、ポリゴンミラー４４の反射面４４ａに入射する各光ビームＤ１〜Ｄ４のミラー回転方向の幅が反射面４４ａの幅よりも狭いアンダーフィールド光学系を採用しているが、これに限ったものではなく、ポリゴンミラー４４の反射面４４ａに入射する各光ビームＤ１〜Ｄ４のミラー回転方向の幅が反射面４４ａの幅よりも広いオーバーフィールド光学系を採用するようにしてもよい。ここで、オーバーフィールド光学系を採用した場合、反射面４４ａの幅方向の全域を光ビームＤ１〜Ｄ４の入射領域として使用するので、アンダーフィールド光学系を採用した場合に比べて、ジッター等の画像不良の発生に及ぼす反射面４４ａの面精度（反射面の湾曲や傾き）の影響を低減することができる。よって、ジッター等の画像不良の発生をより一層確実に抑制することができる。
上記実施形態では、シリンドリカルレンズ部４２は、分割レンズ部４２ａ〜４２ｄにより１つのシリンドリカルレンズが構成されているが、これに限ったものではない。すなわち、シリンドリカルレンズ部４２は、各光源に対して１つ（上記実施形態では４つ）のシリンドリカルレンズにより構成されていてもよい。
【産業上の利用可能性】
【００４１】
以上説明したように、本発明は、光走査装置及び該光走査装置を備えた画像形成装置について有用である。
【符号の説明】
【００４２】
σ     合計値
Ｄ１   光ビーム
Ｄ２   光ビーム
Ｄ３   光ビーム
Ｄ４   光ビーム
Ｋ１   距離
Ｋ２   距離
Ｌ１   光成分
Ｌ２   光成分
Ｗ     ビーム入射領域の副走査方向の幅
ｗ１   光ビーム入射領域の副走査方向の幅   
ｗ２   光ビーム入射領域の副走査方向の幅
ｗ３   光ビーム入射領域の副走査方向の幅
θａ   所定角度
θｂ   所定角度
θｃ   所定角度
θｄ   所定角度
１     画像形成装置
１５   光走査装置
４０   光源部
４２   シリンドリカルレンズ部
４２ａ 第一分割レンズ部（各レンズ部）
４２ｂ 第二分割レンズ部（各レンズ部）
４２ｃ 第三分割レンズ部（各レンズ部）
４２ｄ 第四分割レンズ部（各レンズ部）
４４   ポリゴンミラー
４４ａ 反射面
【図１】
2018124347.tif 000003
【図２】
2018124347.tif 000004
【図３】
2018124347.tif 000005
【図４】
2018124347.tif 000006
【図５】
2018124347.tif 000007
【図６】
2018124347.tif 000008
【図７】
2018124347.tif 000009
【図８】
2018124347.tif 000010
【図９】
2018124347.tif 000011
【図１０】
2018124347.tif 000012
【図１１】
2018124347.tif 000013